【手続補正書】
【提出日】平成15年4月24日(2003.4.24)
【手続補正１】
【補正対象書類名】明細書
【補正対象項目名】特許請求の範囲
【補正方法】変更
【補正の内容】
【特許請求の範囲】
【請求項１】
第１の部材を端末側方向と基部側方向とに順次移動させかつ第２の部材を基部側方向と端末側方向とに順次移動させる作動部品を有するハンドル組立体と、
第１の部材に係合可能な顎部閉鎖部材と第２の部材に係合可能なクリップ供給部材とを有するクリップアプライア組立体と、
クリップアプライア組立体をハンドル組立体に着脱自在に固定する固定手段とを備え、固定手段は、ハンドル組立体上とクリップアプライア組立体上とに配置され、クリップアプライア組立体をハンドル組立体に回動可能に係合する軸着組立体と、ハンドル組立体にクリップアプライア組立体を着脱自在に固定する係止組立体とを備えることを特徴とする外科用自動クリップアプライア。
【請求項２】
軸着組立体は、係止組立体から端末側に離間する位置に回転軸点を形成する請求項１に記載の外科用自動クリップアプライア。
【請求項３】
軸着組立体は、クリップアプライア組立体とハンドル組立体との一方に設けられた外側に突出する湾曲面と、クリップアプライア組立体とハンドル組立体との他方に設けられた内方に窪む湾曲面とを備える請求項１に記載の外科用自動クリップアプライア。
【請求項４】
係止組立体は、クリップアプライア組立体とハンドル組立体との一方に形成される係合可能な部材と、クリップアプライア組立体とハンドル組立体の他方に形成されかつ係合可能な部材に係合する係止位置と係合可能部材から解放される解放位置との間に配置可能な係合部材と、係合部材に作動連結されて、係合部材を開放位置に配置する解放部材とを備える請求項１に記載の外科用自動クリップアプライア。
【請求項５】
係合部材は、係合位置に向かい付勢される請求項４に記載の外科用自動クリップアプライア。
【請求項６】
第１の部材を端末側方向と基部側方向とに順次移動させかつ第２の部材を基部側方向と端末側方向とに順次移動させる作動部品を有するハンドル組立体と、
ハンドル組立体に着脱自在に固定されかつ顎部閉鎖部材とクリップ供給部材とを有するクリップアプライア組立体とを備え、顎部閉鎖部材は、第１の部材に係合可能であり、クリップ供給部材は、第２の部材に係合可能であり、クリップアプライア組立体は、クリップアプライア組立体の長さ方向軸に沿って複数のクリップを収容する収納構造体と、クリップを閉鎖する顎部組立体とを備え、クリップ供給部材は、収納構造体から顎部にクリップを前進させることを特徴とする外科用自動クリップアプライア。
【請求項７】
収納構造体は、準備位置にある端末側の先頭クリップと準備位置より基部側に配置される待機位置にある端末側第２のクリップとを有する複数のクリップを保持する構造を備え、クリップ供給部材は、クリップアプライア組立体に対して滑動自在に装着されかつ端末側クリップ押圧部材及び基部側クリップ押圧部材を有する滑動部材を備え、滑動部材は、基部側位置から端末側位置まで滑動可能であり、滑動部材が基部側位置から端末側位置に滑動することにより、準備位置にある端末側先頭クリップを端末側クリップ係合部材に係合させて、端末側先頭クリップを顎部組立体に移動すると共に、待機位置にある端末側第２クリップを基部側クリップ係合部材に係合させて、端末側第２クリップを待機位置から準備位置に移動する請求項６に記載の外科用自動クリップアプライア。
【請求項８】
端末側クリップ係合部材と基部側クリップ係合部材との少なくとも一方は、滑動部材の長さ方向軸に対し約３０゜から約６０゜の角度間で傾斜するクリップ接触面を有する２つのアームを備え、クリップ接触面は、互いに向かって内側に延伸して、頂面、底面及び端面でクリップの頂部に接触するクリップ接触面によりクリップの頂部を保持する収容領域を形成する請求項７に記載の外科用自動クリップアプライア。
【請求項９】
クリップアプライア組立体は、相対的に大きいクリップを含む第１の組立体と、相対的に小さいクリップを含む第２の組立体とを備え、第１の組立体の準備位置にあるクリップの頂部と、待機位置にあるクリップの頂部との間隔は、第２の組立体内での間隔と同一であり、これにより、同一のハンドル組立体を第１の組立体と第２の組立体とに使用できる請求項７に記載の外科用自動クリップアプライア。
【請求項１０】
第１の部材を端末側方向と基部側方向とに順次移動させかつ第２の部材を基部側方向と端末側方向とに順次移動させる作動部品を有するハンドル組立体と、
第１の部材に係合可能な顎部閉鎖部材と第２の部材に係合可能なクリップ供給部材とを有するクリップアプライア組立体と、
クリップアプライア組立体をハンドル組立体に着脱自在に固定する固定手段とを備え、ハンドル組立体は、実質的に平行かつ反対方向に第１の部材と第２の部材とを移動させ、ハンドル組立体は、ハンドル部材に回動可能に装着される少なくとも１つのハンドル本体を備え、ハンドル本体に対して第１の方向にハンドル部材を移動することにより、第１の部材を端末側に移動すると共に、第２の部材を基部側に移動し、ハンドル本体に対して第２の方向にハンドル部材を移動することにより、第１の部材を基部側に移動すると共に、第２の部材を端末側に移動することを特徴とする外科用自動クリップアプライア。
【請求項１１】
第１の部材を端末側方向と基部側方向とに順次移動させかつ第２の部材を基部側方向と端末側方向とに順次移動させる作動部品を有するハンドル組立体と、ハンドル組立体に着脱自在に固定されかつ顎部閉鎖部材とクリップ供給部材とを有するクリップアプライア組立体とを備え、顎部閉鎖部材は、第１の部材に係合可能であり、クリップ供給部材は、第２の部材に係合可能であり、
ハンドル組立体は、実質的に平行かつ反対方向に第１の部材と第２の部材とを移動させ、ハンドル組立体は、ハンドル部材に回動可能に装着される少なくとも１つのハンドル本体を備え、ハンドル本体に対して第１の方向にハンドル部材を移動することにより、第１の部材を端末側に移動すると共に、第２の部材を基部側に移動し、ハンドル本体に対して第２の方向にハンドル部材を移動することにより、第１の部材を基部側に移動すると共に、第２の部材を端末側に移動し、ハンドル組立体は、ハンドル本体と、ハンドル本体に回動可能に軸着される２つのハンドル部材とを備え、２つのハンドル部材の各々は、内側に開口するスロット部材を形成し、第１の部材は、２つのハンドル部材の各々の内側に開口するスロット内に配置されるスプールを有し、本体部材に対して互い向かって２つのハンドル部材を軸回転することにより、端末側にスプールを移動させることを特徴とする外科用自動クリップアプライア。
【請求項１２】
スプールは、クリップアプライア組立体の顎部閉鎖部材に係合可能である請求項１１に記載の外科用自動クリップアプライア。
【請求項１３】
第２の部材は、コイル中心部と、コイル中心部から延伸する２つのアームとを有するバネを備え、バネは、２つのハンドル部材間に配置され、アームは、コイル中心部から端末側に延伸して２つのハンドル部材に接触し、２つのハンドル部材を閉鎖することにより、２つのアームを互いに向かって回転させて、コイル中心部を基部側に移動させる請求項１１に記載の外科用自動クリップアプライア。
【請求項１４】
コイル中心部は、クリップ供給部材に係合する請求項１３に記載の外科用自動クリップアプライア。
【請求項１５】
頂部と、頂部から延伸する脚部とを各々備えるクリップを供給する外科用自動クリップアプライアにおいて、クリップを適用する顎部を有するクリップアプライア組立体と、脚部が顎部に向かって端末側に延伸する複数のクリップを一列に収容する収納構造体とを備え、収納構造体は、顎部に対して基部側に配置される準備位置と、準備位置より基部側に配置される待機位置とを形成し、収納構造体に対して滑動自在に装着されかつ端末側クリップ係合部材と基部側クリップ係合部材とを有するクリップ供給部材を備え、クリップ供給部材は、基部側位置から端末側位置まで滑動可能であり、基部側位置から端末側位置にクリップ供給部材を滑動することにより、端末側クリップ係合部材は準備位置にある端末側先頭クリップに係合し、基部側クリップ係合部材は待機位置にある端末側第２クリップに係合して、端末側の先頭クリップを顎部に移動して、端末側第２クリップを準備位置に移動することを特徴とする外科用自動クリップアプライア。
【請求項１６】
クリップ供給部材を端末側位置から基部側位置に移動することにより、端末側クリップ係合部材を準備位置にある新規な端末側先頭クリップに係合させ、基部側クリップ係合部材を待機位置にある新規な端末側第２クリップに係合させる請求項１５に記載の外科用自動クリップアプライア。
【請求項１７】
端末側クリップ係合部材と基部側クリップ係合部材との間隔は、準備位置にあるクリップの頂部と、待機位置にあるクリップの頂部との間隔と同一である請求項１５に記載の外科用自動クリップアプライア。
【請求項１８】
顎部にあるクリップの頂部と、準備位置にあるクリップの頂部との間隔は、準備位置にあるクリップの頂部と、待機位置にあるクリップの頂部との間隔と同一である請求項１７に記載の外科用自動クリップアプライア。
【請求項１９】
端末側クリップ係合部材と基部側クリップ係合部材との少なくとも一方は、滑動部材の長さ方向軸に対して、約３０゜から約６０゜の間の角度で傾斜するクリップ接触面を有する２つのアームを備え、各クリップ接触面は、互いに向かって内側方向に延伸して、頂面、底面及び端面でクリップの頂部に接触するクリップ接触面によりクリップの頂部を保持する収容領域を形成する請求項１５に記載の外科用自動クリップアプライア。